(57)【特許請求の範囲】
【請求項１】
一枚のブランクシートから一体的に打ち抜かれた箱体形成片から成り、この箱体形成片には、互いに連接される側壁と、前記側壁同士を糊付けして箱体とする糊付片と、前記側壁に連接され上方に立設される吊下片と、前記吊下片の上端部に連接され前記吊下片の裏面に折り返され前記吊下片よりも長く下方に延出した表示片が設けられ、
前記箱体形成片は、前記吊下片の下端部に、前記側壁である上面と、正面と、底面と、背面が垂直方向に連接して設けられ、前記背面の端部には、前記上面の裏面に糊付けされる前記糊付片が設けられ、前記正面の水平方向の一対の端部には、側面が各々連接して設けられ、前記側面の先端部には前記背面の裏面に沿って差し込んで前記側面を前記背面に係止する差込片が連接して設けられ、
前記表示片は、前記背面に重なる長さに形成され、組立状態で前記背面の表面に沿って下方に延出し、前記表示片には印刷が施され、前記吊下片と前記表示片には、互いに連通する透孔が形成され吊り下げ可能に設けられていることを特徴とする表示片付包装用箱。
【請求項２】
前記吊下片と前記表示片は互いに接着され、前記背面と前記表示片は接着されず、前記吊下片と前記側壁との境界線には、破断線が設けられていることを特徴とする請求項１記載の表示片付包装用箱。
【請求項３】
前記底面には、前記正面と前記背面との境界に折罫線が設けられ、前記一対の折罫線の途中には、前記底面の内側へ膨出する切断線で囲まれた脚部が設けられ、前記脚部は箱体の組立状態で前記正面または前記背面と面一に、底面よりも下方に突出したことを特徴とする請求項１又は２記載の表示片付包装用箱。
【発明の詳細な説明】
【技術分野】
【０００１】
この発明は、箱体形成片と一体に、表示片が設けられている表示片付包装用箱に関する。
【背景技術】
【０００２】
従来、商品を収容して店頭に陳列する包装用箱には、商品の説明等が印刷された表示片が設けられたものがある。例えば、特許文献１に開示されている表示片つき包装用箱は、立体形状の箱枠を形成するための少なくとも３以上の側板と、当該箱枠の開放部を閉じるための少なくとも１の蓋板とを備える一枚の基板から組立可能な包装用箱であり、側板または蓋板に連接する表示片と、表示片が連接する側板または蓋板に、表示片を差込保持可能に係止部が設けられているものである。
【０００３】
また、特許文献２に開示されている表示片付包装用箱は、複数枚の側面と、この側面に連接して設けられこの側面に沿って折り曲げられた表示片が設けられている。表示片の一部は、側面に接着されている。表示面と側面の境界には、断続する切込線等で形成された切離線が形成され、分離可能に設けられている。
【０００４】
特許文献３に開示されている表示片付包装用箱は、包装用箱を形成する側壁に表示片が連接され、表示片には、舌片部を有する係止片が連接して設けられている。係止片が重ねられる側壁には、差込部が設けられ、舌片部を差込部に差し込むことにより、表示片の端部を包装用箱に係止するものである。
【特許文献１】特開２００３−２６２３９号公報
【特許文献２】特開平１１−２５５２３３号公報
【特許文献３】特開平１０−２５０７１８号公報
【発明の開示】
【発明が解決しようとする課題】
【０００５】
上記背景技術の特許文献１と特許文献３に開示された包装用箱の場合、側板又は蓋板に係止部が切れ込みや切欠部で形成されているため、ここから箱体に異物や湿気が侵入するおそれがあった。表示片は係止部に差し込まれて係止されているだけなので外れ易く、外れたとき不自然な外観となるという問題があった。さらに、表示片は側板に折り重ねられているだけであり、厚みが生じて外観がすっきりとしなかった。
【０００６】
また、特許文献２に開示された包装用箱の場合、表示片は側面に接着されているため接着部分を破断して見るものであり、消費者が商品を購入する前に表示片を自由に見ることができないものであった。
【０００７】
この発明は、上記背景技術の問題点に鑑みてなされたものであり、自然な外観で商品の説明を印刷するデザインスペースの面積が広く、開封する前に箱体を傷めることなく商品の説明を自由に見ることができる表示片付包装用箱を提供することを目的とする。
【課題を解決するための手段】
【０００８】
本発明は、一枚のブランクシートから一体的に打ち抜かれた箱体形成片から成り、この箱体形成片には、互いに連接される側壁と、前記側壁同士を糊付けして箱体とする糊付片と、前記側壁に連接され上方に立設される吊下片と、前記吊下片の上端部に連接され前記吊下片の裏面に折り返され前記吊下片よりも長く下方に延出した表示片が設けられ、前記表示片には印刷が施され、前記吊下片と前記表示片は、互いに連通する透孔が形成されている表示片付包装用箱である。
【０００９】
さらに、前記箱体形成片は、前記吊下片の下端部に、上記側壁である上面と、正面と、底面と、背面が垂直方向に下方に向かって連接して設けられ、前記背面の下端部には、前記上面の裏面に糊付けされる前記糊付片が設けられ、前記正面の水平方向の一対の端部には、側面が各々連接して設けられ、前記側面の先端部には前記背面の裏面に沿って差し込んで前記側面を前記背面に係止する差込片が連接して設けられている。前記上面と前記底面の水平方向の一対の端部には、前記側面の裏側に折り込まれるフラップが連接して設けられている。前記糊付片の下端部に、前記正面の裏側に折り込まれるフラップが連接して設けられている。そして、前記表示片は、箱体の組立状態で前記背面の表面に沿って下方に延出している。
【００１０】
また、前記吊下片と前記表示片は互いに接着され、前記背面と前記表示片は接着されず、前記吊下片と前記側壁との境界線には、破断線が設けられ、前記吊下片が不要なときは破断線を切断して箱体から取り外すことができる。
【００１１】
また、前記底面には、前記正面と前記背面との境界に折罫線が設けられ、前記一対の折罫線の途中には、前記底面の内側へコの字形に膨出する切断線で囲まれた脚部が設けられ、前記脚部は箱体の組立状態で前記正面または前記背面と面一に、底面よりも下方に突出したものである。
【発明の効果】
【００１２】
本発明の表示片付包装用箱は、簡単な構造で自然な外観であり、商品の説明を印刷するデザインスペースの面積が広く、セルフセレクション販売に適したものである。さらに、開封する前に商品の説明を見ることができ、箱体を傷めたり折り線が生じたりすることがなくきれいな状態を保つことができる。
【発明を実施するための最良の形態】
【００１３】
以下、この発明の実施形態について図面に基づいて説明する。図１はこの発明の一実施形態を示すもので、この実施形態の表示片付包装用箱１０は、後述する箱体から立ち上がる吊下片７２と、吊下片７２に連接されて吊下片７２の裏面に折り返されて箱体に沿って下方に延出する表示片７８が設けられたものである。この実施形態の表示片付包装用箱１０は、紙製等の一枚のブランクシートを打ち抜いて形成された箱体形成片１２を組み立てて設けられている。
【００１４】
図２は箱体形成片１２を裏面から見た展開図であり、箱体形成片１２は、箱体の側壁を形成する上面１４、正面１６、底面１８、背面２０が、互いに平行に長辺方向に向かって連接して形成されている。上面１４、正面１６、底面１８、背面２０は、連接している幅方向はほぼ同じ長さであり、連接方向の長さは正面１６、背面２０が長くて互いにほぼ等しく、上面１４、底面１８は短くて互いにほぼ等しい。上面１４、正面１６、底面１８、背面２０は、各々折罫線２２，２４，２６で区切られている。折罫線２４の途中の２箇所には、底面１８の内側へ突出するコの字形の切込線２８が形成され、切込線２８の内側は、組立状態で正面１６と面一に連続し底面１８の下方に突出する脚部３０となる。折罫線２６の途中の２箇所にも、底面１８の内側へ突出するコの字形の切込線２８が形成され、組立状態で背面２０と面一に連続し底面１８の下方に突出する脚部３０となる。
【００１５】
背面２０の、折罫線２６と反対側である端部には、表示片付包装用箱１０の組立状態で上面１４の裏面に糊付けされる糊付片３２が折罫線３４で区切られて設けられている。糊付片３２は、背面２０と反対側の下端部が短くなる台形に形成されている。糊付片３２の先端部には、正面１６の裏面に折り込まれるフラップ３６が折罫線３８で区切られて設けられている。折罫線３４、折罫線３８には、折り曲げ易いように切込線が設けられている。
【００１６】
正面１６の水平方向の一方の端部には、組立状態で上面１４、正面１６、底面１８、背面２０で囲まれた開口部を閉鎖する側面４０が折罫線４２で区切られて設けられ、側面４０の折罫線４２の反対側の端部には、差込片４４が折罫線４６で区切られて設けられている。折罫線４６の両端部には、差込片４４が後述するフラップ５６，６４と係止しやすいように短い切込線が設けられている。正面１６の折罫線４２と反対側の端部には、側面４８が折罫線５０で区切られて設けられ、側面４８の折罫線５０の反対側の端部には、差込片５２が折罫線５４で区切られて設けられている。折罫線５４の両端部にも、差込片５２が後述するフラップ６０，６８と係止しやすいように短い切込線が設けられている。
【００１７】
底面１８の、正面１６の折罫線４２に隣接する端部には、矩形のフラップ５６が折罫線５８で区切られて設けられている。底面１８の、折罫線５８と反対側の端部には、矩形のフラップ６０が折罫線６２で区切られて設けられている。
【００１８】
上面１４の、正面１６の折罫線４２に隣接する端部には、矩形のフラップ６４が折罫線６６で区切られて設けられている。上面１４の、折罫線６６と反対側の端部には、矩形のフラップ６８が折罫線７０で区切られて設けられている。上面１４の、折罫線２２と反対側である上端部には、吊下片７２が折罫線７４で区切られて設けられている。吊下げ片７２は、上面１４と連接している幅方向は同じ長さであり、連接方向の長さは上面１４よりも長く形成されている。折罫線７４には、折り曲げ易いように切込線が設けられている。吊下片７２の中心よりもやや折罫線７４から離れた位置に、透孔７６が設けられている。透孔７６は、折罫線７４に対して平行な長丸と、この長丸の中間から折罫線７４と反対側に突出する半円が連続した形状である。
【００１９】
吊下片７２の、折罫線７４と反対側の端部には、表示片７８が折罫線８０で区切られて設けられている。表示片７８は、吊下片７２と連接している幅方向は同じ長さであり、連接方向の長さは吊下片７２と正面１６を合わせた長さよりもわずかに短く設けられている。表示片７８には、折罫線８０に近い位置に透孔８２が設けられ、透孔８２の形状は、吊下片７２の透孔７６と、折罫線８０で線対称となるものである。表示片７８の折罫線８０と反対の端部７８ａの中間には、表示片７８の内側に半円形に切り欠かれた切欠部８４が設けられている。なお、箱体形成片１２には表面と裏面に絵柄が印刷され、特に表示片７８の裏面や、背面２０の表面には、商品の説明等が詳細に印刷されている。
【００２０】
次に、この実施形態の表示片付包装用箱１０の組立方法の一例について説明する。なお、ここでは図２が表示片付包装用箱１０の箱体形成片１２の裏面を見たものであり、箱体形成片１２の表面が凸になる折り方を正折り、そして裏面が凸になる折り方を逆折りと称する。
【００２１】
まず、図３に示すように折罫線３４を正折りして糊付片３２の表面に糊８８を塗布する。次に図４に示すように折罫線２４を正折りし、上面１４の裏面が糊８８により糊付片３２の表面に糊付けされる。そして吊下片７２の裏面に、透孔７６と折罫線７４の間の部分に糊９０を塗布し、折罫線８０を正折りする。これにより、表示片７８の裏面が糊９０により吊下片７２の裏面に糊付けされる。
【００２２】
次に商品を収容し包装する工場等において、折罫線２２，２４，２６，３４，３８を各々９０度に正折りし、折罫線７４を９０度に逆折りする。その後、折罫線５８，６６でフラップ５６，６４を９０度に正折りし、折罫線４２で側面４０を９０度に正折りし、差込片４４を背面２０の裏面側に差し込んで係止し、上面１４、正面１６、底面１８、背面２０で囲まれた一方の開口部を側面４０が閉鎖する。さらに、折罫線６２，７０でフラップ６０，６８を９０度に正折りし、折罫線５０で側面４８を９０度に正折りし、差込片５２を背面２０の裏面側に差し込んで係止し、他方の開口部を側面４８が閉鎖し、箱体が形成される。なお、箱体形成片１２を組み立てる順番はこれ以外でもよく、適宜変更可能である。
【００２３】
次に、この実施形態の表示片付包装用箱１０の使用方法について説明する。まず、図１（ａ）の状態で、吊下片７２の透孔７６にフック等を挿通して吊下げて店頭で陳列する。このとき、表示片７８は、吊下片７２に折り返されて背面２０に閉じられて下方に延出し陳列の支障とならない。消費者は、吊下片７２や正面１６の絵柄を視認し、詳しい説明を見たいときは表示片付包装用箱１０を取り、図１（ｂ）のように表示片７８を背面２０から開き、背面２０や、表示片７８の裏面に印刷された文字や図形を見ることができる。このとき、表示片７８の切欠部８４に指をかけると表示片７８を開きやすい。見終わった後は、表示片７８を背面２０に閉じて再びフック等に吊下げることができる。
【００２４】
なお、表示片付包装用箱１０の吊下片７２と表示片７８が不要なときは、折罫線７４を切断して箱体から取り外しても良い。また、底面１８には脚部３０が４個設けられ、棚等に陳列する際は、脚部３０が棚に当接して確実に自立する。
【００２５】
この実施形態の表示片付包装用箱１０によれば、表示片７８に商品の説明を印刷してデザインスペースの面積が広く設けられ、セルフセレクション販売に適したものである。開封する前に表示片７８を自由に見ることができ、箱体を傷めたり折り線が生じたりすることがなく、きれいな状態を保つことができる。表示片７８は係止手段が不要であり、説明を読む操作は表示片７８を背面２０から開くだけの簡単なものである。表示片７８の端部７８ａには切欠部８４が形成され、切欠部８４に指をかけることで表示片７８が開き易くなる。表示片７８は吊下片７２に接着されて箱体の背面２０に閉じられて下方に延出しているため、厚みがなくてスペースをとらず、外観も自然である。表示片７８と吊下片７２が不要なときは、折罫線７４を簡単に切断して取り外すことができる。底面１８には脚部３０が４個設けられているため、棚等に脚部３０を当接して確実に自立させることができる。吊下片７２で吊下げて陳列するか、脚部３０で棚等に自立させて陳列するかを、周囲の状況に合わせて自由に変更することができる。また、箱体の内側でフラップ３６と正面１６の間に隙間を設け、商品の使用説明書等を収容してもよい。
【００２６】
なお、この発明は上記実施形態に限定されるものではなく、箱体形成片の各部材の連接する順番は適宜変更可能であり、吊下片が背面に連接されたり、正面と側面と背面が水平方向に連接して設けられたり、自由に変更可能である。表示片付包装用箱の素材は、紙以外に合成樹脂や、合成樹脂と紙を積層したもの等、自由に選択可能である。
【図面の簡単な説明】
【００２７】
【図１】この発明の一実施形態の表示片付包装用箱の表示片を背面に閉じた状態を示す斜視図（ａ）と、表示片を背面から開いた状態を示す斜視図（ｂ）である。
【図２】この実施形態の表示片付包装用箱の展開図である。
【図３】この実施形態の表示片付包装用箱の組立工程を示す展開図である。
【図４】この実施形態の表示片付包装用箱の組立工程を示す展開図である。
【符号の説明】
【００２８】
１０  表示片付包装用箱
１２  箱体形成片
１４  上面
１６  正面
１８  底面
２０  背面
３２  糊付片
４０，４８  側面
７２  吊下片
７６，８２  透孔
７８  表示片
８８，９０  糊
【図１】
0005301202.tif 000002
【図２】
0005301202.tif 000003
【図３】
0005301202.tif 000004
【図４】
0005301202.tif 000005